(57)【要約】【課題】紙箸を提供すること。【解決手段】本発明の紙箸は、紙材料で成る紙箸本体を含み、そのうち、前記紙箸本体が巻回状表面を備え、螺旋構造を形成し、前記紙箸本体が中空状であり、且つ後端の円径が前端の円径より大きく、前端の硬度が後端の硬度より高く、紙箸本体がすべて紙材料で成るため、環境保護と節約の効果を達することができる。【選択図】図１
2018064941.tif 000002
【特許請求の範囲】
【請求項１】
紙箸であって、紙材料で成る紙箸本体を含み、そのうち、前記紙箸本体が巻回状表面を備え、螺旋構造を形成し、前記紙箸本体が中空状であり、且つ後端の円径が前端の円径より大きく、前端の硬度が後端の硬度より高いことを特徴とする、紙箸。
【請求項２】
前記紙材料が折り畳み工程を通じて形成された多層紙材料であることを特徴とする、請求項１に記載の紙箸。
【請求項３】
前記紙材料が防水紙であることを特徴とする、請求項１に記載の紙箸。
【請求項４】
前記紙箸本体表面に一層の防水膜を塗布できることを特徴とする、請求項１に記載の紙箸。
【請求項５】
前記紙箸本体が接着、係合または圧着で固定することができることを特徴とする、請求項１に記載の紙箸。
【発明の詳細な説明】
【技術分野】
【０００１】
本発明は箸に関し、特に、紙材料で成る紙箸に関する。
【背景技術】
【０００２】
現在、使い捨て食器で最もよく見受けられるものの中に使い捨て箸がある。使い捨て箸は便利に使用でき、通常は一度使用したら捨てる木製製品であり、洗う必要がないため、人々が手軽に使用でき、広く受け入れられており、野外での食事には不可欠なものとなっている。
【０００３】
しかしながら、近年環境意識が高まり、使い捨て箸の使用もリサイクルの問題が生じている。箸そのもの、およびそれを包み込むビニール材料や紙材料の包装もごみの量の増加につながり、また使い捨て箸の製造過程でも漂白剤の使用を回避できないため、使い捨て箸には非常に多くの欠点があると言える。
【０００４】
このため、紙材料で紙箸を作ることができれば、木製の使い捨て箸の製造過程で漂白剤を使用する欠点を回避できるほか、リサイクルも木製の使い捨て箸より便利であるため、紙材料で成る紙箸は、現在の木製使い捨て箸の欠点を克服できる、最善の解決策である。
【発明の概要】
【発明が解決しようとする課題】
【０００５】
本発明の目的は、紙箸を提供することにある。
【課題を解決するための手段】
【０００６】
本発明の紙箸は、紙材料で成る紙箸本体を含み、そのうち、前記紙箸本体が巻回状表面を備え、螺旋構造を形成し、前記紙箸本体が中空状であり、且つ後端の円径が前端の円径より大きく、前端の硬度が後端の硬度より高い。
【０００７】
最良の一実施例において、折り畳み工程を通じて多層紙材料が形成される。
【０００８】
最良の一実施例において、前記紙材料が防水紙である。
【０００９】
最良の一実施例において、前記紙箸本体表面に一層の防水膜を塗布することができる。
【００１０】
最良の一実施例において、前記紙箸本体は接着、係合または圧着で固定することができる。
【発明の効果】
【００１１】
本発明は多層紙材料を通じて構造を強化した紙箸を製造でき、製造された紙箸は木製使い捨て箸の製造過程における漂白剤の使用を回避できるほか、リサイクルも木製使い捨て箸より手軽にでき、かつ機械で大量に製造可能で、コストを削減でき、工程が容易で広範に適用できるなどの利点を備えている。
【図面の簡単な説明】
【００１２】
【図１】本発明の紙箸の立体外観図である。
【図２Ａ】本発明の紙箸の構造成型を示す概略図である。
【図２Ｂ】本発明の紙箸の構造成型を示す概略図である。
【図２Ｃ】本発明の紙箸の構造成型を示す概略図である。
【図２Ｄ】本発明の紙箸の構造成型を示す概略図である。
【図２Ｅ】本発明の紙箸の構造成型を示す概略図である。
【図２Ｆ】本発明の紙箸の構造成型を示す概略図である。
【図２Ｇ】本発明の紙箸の構造成型を示す概略図である。
【発明を実施するための形態】
【００１３】
本発明のその他技術内容、特徴、効果について、以下図面を組み合わせ、最良の実施例を挙げてよりはっきりと詳細に説明する。
【００１４】
図１に本発明の紙箸の立体外観図を示す。本発明の紙箸は、紙材料で成る紙箸本体１を含み、そのうち、前記紙箸本体１が巻回状表面１１（ｗｉｎｄ  ａｒｏｕｎｄ  ｓｕｒｆａｃｅ  １１、巻き重ねて形成した表面１１）を備え、螺旋構造を形成し、前記紙箸本体１が中空状であり、且つ後端の円径が前端の円径より大きく、前端の硬度が後端の硬度より高い。
【００１５】
前記紙箸本体１の構造成型（構造の成形工程）を図２Ａから図２Ｄに示す。まず、図２Ａに示すように、一般の設備でまず前記紙材料を左に折って第１折り線１２を形成した後、図２Ｂに示すように、さらに右に折って第１折り線１２の一端に相接する（ｃｏｎｎｅｃｔ、互いに接する、結合する）第２折り線１３を形成する。続いて図２Ｃに示すように、再び左に折って第１折り線１２の別の一端に相接する第３折り線１４を形成した後、さらに図２Ｄに示すように、前記紙材料の上端の固定部１６を後ろへ折って第４折り線１５を形成し、前記第４折り線１５が第２折り線１３および第３折り線１４と相互に交わる。
【００１６】
図２Ｅに示すように、さらに前記第４折り線１５の一側の固定部１６を前に折り返した後、前述の折り畳み工程が完了した多層紙材料を巻回設備で巻いて円管状にし、前記固定部１６を残しておく。最後に図２Ｇに示すように、接着、係合または圧着で固定し、巻回成型された円管状が解けないようにする。こうして前記紙箸本体１が形成される。
【００１７】
本発明が提供する紙箸は、その他従来技術と比較して、次のような利点がある。
１、本発明は多層紙材料を通じて構造を強化した紙箸を製造でき、製造された紙箸は木製使い捨て箸の製造過程における漂白剤の使用を回避できるほか、リサイクルも木製使い捨て箸より手軽にできる。
２、本発明の紙箸は、環境保護の特徴のほか、機械で大量に製造可能で、コストを削減でき、工程が容易で広範に適用できるなどの利点を備えている。
３、本発明の紙材料は折り畳むことで紙箸の硬度を高め、紙箸の先端を最も硬く、中段部を比較的硬くすることで、一般的な使用習慣と同じ使用方法を達成でき、例えば、紙箸の中段部が比較的硬いため使用者がしっかり握って施力することができ、紙箸の先端が最も硬いため食材に刺したり、食材を切り分けたりすることができる。
【００１８】
本発明について上述の実施例を通じて公開したが、上述の実施例は本発明を限定せず、当業者であれば本発明の前述の技術的特徴と実施例を理解した上で、本発明の要旨と範囲を逸脱することなく、幾許かの変更や修飾が可能であろう。従って、本発明の保護範囲は特許請求の範囲の記載に準じる。
【符号の説明】
【００１９】
１        紙箸本体
１１      巻回状表面
１２      第１折り線
１３      第２折り線
１４      第３折り線
１５      第４折り線
１６      固定部
【図１】
2018064941.tif 000003
【図２Ａ】
2018064941.tif 000004
【図２Ｂ】
2018064941.tif 000005
【図２Ｃ】
2018064941.tif 000006
【図２Ｄ】
2018064941.tif 000007
【図２Ｅ】
2018064941.tif 000008
【図２Ｆ】
2018064941.tif 000009
【図２Ｇ】
2018064941.tif 000010